(57)【要約】【課題】情報を収集して有用情報を提供する情報提供システムであって、ユーザに情報を効率よく、かつ不足なく提供可能な情報提供システムを提供する。【解決手段】情報提供システムは、登録部と、受付部と、蓄積制御部と、判定部と、出力部と、を備える。登録部は、複数のラベルの登録を受け付ける。複数のラベルのそれぞれは、情報を収集したい観点を示し、かつ、互いに異なる観点を示している。受付部は、情報を受け付ける。蓄積制御部は、受付部が受け付けた情報を、ラベルの少なくとも１つと関連付けてデータベースに蓄積させる。判定部は、各ラベルについて、そのラベルと関連付けられてデータベースに蓄積されている情報の件数に応じて、情報不足を判定する。出力部は、判定部により情報不足と判定されたラベルＬ１を特定する表示を、表示部３０Ａに表示させる。【選択図】図２
2017194841.tif 000002
【特許請求の範囲】
【請求項１】
情報を収集して有用情報を提供する情報提供システムであって、
それぞれが情報を収集したい観点を示し、かつ、それぞれが互いに異なる観点を示している複数のラベル、の登録を受け付ける登録部（２６２）と、
情報を受け付ける情報受付部（２２０，２３０）と、
前記情報受付部が受け付けた情報を、前記ラベルの少なくとも１つと関連付けて情報蓄積部（３００）に蓄積させる蓄積制御部（２６６）と、
各前記ラベルについて、そのラベルと関連付けられて前記情報蓄積部に蓄積されている情報の件数に応じて、情報不足を判定する判定部（２７０）と、
前記判定部により情報不足と判定された前記ラベル（Ｌ１，Ｌ２）を特定する表示を、表示部（３０Ａ，２４０）に表示させる出力部（２１０）と、
を備える、情報提供システム（１００）。
【請求項２】
前記出力部は、前記判定部により情報不足と判定された前記ラベルを特定するため、前記判定部により情報不足と判定された前記ラベルを、前記表示部に強調表示させる、
請求項１に記載の情報提供システム。
【請求項３】
前記判定部は、前記情報蓄積部に蓄積されている、情報不足の判定対象の１の前記ラベルと関連付けられている情報の件数と、閾値と、を比較した結果に基づき、情報不足の判定対象の前記ラベルについて情報不足を判定する、
請求項１又は２に記載の情報提供システム。
【請求項４】
前記判定部は、前記情報蓄積部に蓄積されている、所定の前記ラベルと関連付けられている情報の件数に対する、前記情報蓄積部に蓄積されている、情報不足の判定対象の１の前記ラベルと関連付けられている情報の件数の比と、閾値と、を比較した結果に基づき、情報不足の判定対象の前記ラベルについて情報不足を判定する、
請求項１又は２に記載の情報提供システム。
【請求項５】
前記閾値は、前記ラベル別に設定される、
請求項３又は４に記載の情報提供システム。
【請求項６】
前記出力部は、前記表示部に、前記閾値を変更するための変更指示受付部（Ｂ）を表示させ、
情報提供システムは、前記変更指示受付部に対する前記閾値の変更操作を受け付ける操作受付部（２２０，２３０）を更に備える、
請求項３から５のいずれか１項に記載の情報提供システム。
【請求項７】
ユーザによる第１ラベルの入力を受け付ける入力受付部（２２０，２３０）を更に備え、
前記登録部が登録を受け付ける各前記ラベルは、前記第１ラベル、又は、予め準備された汎用ラベルから選択される第２ラベルのいずれかであって、
前記第１ラベルの前記閾値は、自由に設定可能であり、
前記第２ラベルの前記閾値は、初期設定されている、
請求項３から６のいずれか１項に記載の情報提供システム。
【請求項８】
前記登録部は、複数の前記ラベルに対し、これらの前記ラベルよりも上位の観点を示す前記ラベルを上位ラベルとして登録し、
前記蓄積制御部は、前記上位ラベルの下位の観点を示す前記ラベルと関連付けて前記情報蓄積部に蓄積される情報を、前記上位ラベルとも関連付け、
情報提供システムは、前記上位ラベルの前記閾値を、前記上位ラベルの下位の観点を示す前記ラベルの前記閾値に基づいて算出する算出部（２６４）を更に備える、
請求項３から７のいずれか１項に記載の情報提供システム。
【請求項９】
前記出力部は、前記判定部により情報不足と判定された前記ラベルを特定する表示と、前記情報蓄積部に蓄積されている、前記判定部により情報不足と判定された前記ラベルと関連付けられた情報の少なくとも一部と、を前記表示部に同時に表示させる、
請求項１から８のいずれか１項に記載の情報提供システム。
【発明の詳細な説明】
【技術分野】
【０００１】
本発明は、情報を収集して有用情報を提供する情報提供システムに関する。
【背景技術】
【０００２】
情報を収集して有用情報を提供する情報提供システムが知られている。
【０００３】
例えば、特許文献１（特開２００１−１４７９４０号公報）には、収集した情報を、情報のタイトル等に基づいてグループ化し、グループ別にまとめて表示部に表示させるシステムが開示されている。
【０００４】
このようなシステムでは、情報がグループ別に管理されているため、ユーザが情報を効率よく利用しやすいというメリットが得られる。
【発明の概要】
【発明が解決しようとする課題】
【０００５】
しかし、システムが提供する情報を解析して適切な解析結果を導き出し、得られた解析結果をビジネス等に活用していく上では、上記のシステムには改良の余地がある。
【０００６】
例えば、上記のシステムのように、情報がグループ別にまとめて管理されていたとしても、各グループについて十分に情報が集まっていない状態で情報の解析が行われた場合には、ユーザは適切な解析結果を得られない可能性がある。
【０００７】
本発明の課題は、情報を収集して有用情報を提供する情報提供システムであって、ユーザに情報を効率よく、かつ不足なく提供可能な情報提供システムを提供することにある。
【課題を解決するための手段】
【０００８】
本発明の第１観点に係る情報提供システムは、情報を収集して有用情報を提供する。情報提供システムは、登録部と、情報受付部と、蓄積制御部と、判定部と、出力部と、を備える。登録部は、複数のラベルの登録を受け付ける。複数のラベルのそれぞれは、情報を収集したい観点を示し、かつ、互いに異なる観点を示している。情報受付部は、情報を受け付ける。蓄積制御部は、情報受付部が受け付けた情報を、ラベルの少なくとも１つと関連付けて情報蓄積部に蓄積させる。判定部は、各ラベルについて、そのラベルと関連付けられて情報蓄積部に蓄積されている情報の件数に応じて、情報不足を判定する。出力部は、判定部により情報不足と判定されたラベルを特定する表示を、表示部に表示させる。
【０００９】
本発明の第１観点に係る情報提供システムでは、情報蓄積部に、情報を収集したい観点を示すラベルと関連付けて情報が記憶させられる。そのため、本情報提供システムでは、システムのユーザが情報を効率よく利用しやすいというメリットがある。
【００１０】
さらに、この情報提供システムでは、ラベルと関連付けられた情報の件数に応じて、そのラベルについての情報不足が判定され、情報不足の場合、情報不足のラベルを特定する表示が表示部に表示させられる。そのため、あるラベル（観点）に関する情報量が不十分であるにも関わらず、情報提供システムから提供される情報に基づき情報解析が行われてしまい、適切ではない解析結果しか得られないという事態の発生を抑制できる。また、システムのユーザは、どの観点の情報が不足しているかを容易に把握できるので、本システムを用いれば、既に十分な量の情報が収集されている観点の情報の収集に無駄に時間や金銭を費やす必要がなく、真に必要な情報を重点的に収集することができる。
【００１１】
本発明の第２観点に係る情報提供システムは、第１観点に係る情報提供システムであって、出力部は、判定部により情報不足と判定されたラベルを特定するため、判定部により情報不足と判定されたラベルを、表示部に強調表示させる。
【００１２】
本発明の第２観点に係る情報提供システムでは、情報不足と判定されたラベルが表示部に強調表示させられるので、システムのユーザはどのラベルの情報が不足しているかを容易に把握することができる。
【００１３】
なお、情報不足と判定されたラベルの強調表示には、例えば、情報不足と判定されたラベルの文字を、他のラベルの文字に比べて太字で表示する、他のラベルの文字とは書体を変えて表示する、他のラベルの文字とは色を変えて表示する、等の態様を含んでもよい。また、情報不足と判定されたラベルの強調表示には、例えば、情報不足と判定されたラベルを他のラベルに比べて大きく表示する態様を含んでもよい。また、情報不足と判定されたラベルの強調表示には、例えば、情報不足と判定されたラベルの位置を他のラベルに比べて目立つ位置に配置する態様を含んでもよい。例えば、複数のラベルを並べてリスト表示する場合に、情報不足と判定されたラベルを、リストの先頭に配置する等の態様を含んでもよい。ただし、ここで挙げた情報不足と判定されたラベルの強調表示の態様は一例であって、ここに記載したものに限定されるものではない。
【００１４】
本発明の第３観点に係る情報提供システムは、第１観点又は第２観点に係る情報提供システムであって、判定部は、情報蓄積部に蓄積されている、情報不足の判定対象の１のラベルと関連付けられている情報の件数と、閾値と、を比較した結果に基づき、情報不足の判定対象のラベルについて情報不足を判定する。
【００１５】
本発明の第３観点に係る情報提供システムでは、情報不足の判定対象のラベルと関連付けられている情報の件数と、閾値との比較により情報不足が判定されるため、各ラベルと関連付けられた情報の件数の絶対数が不足することを防止できる。
【００１６】
本発明の第４観点に係る情報提供システムは、第１観点又は第２観点に係る情報提供システムであって、判定部は、情報蓄積部に蓄積されている、所定のラベルと関連付けられている情報の件数に対する、情報蓄積部に蓄積されている、情報不足の判定対象の１のラベルと関連付けられている情報の件数の比と、閾値と、を比較した結果に基づき、情報不足の判定対象のラベルについて情報不足を判定する。
【００１７】
本発明の第４観点に係る情報提供システムでは、所定のラベルと関連付けられた情報の件数に対する、情報不足の判定対象のラベルと関連付けられた情報の件数の比と、閾値との比較により情報不足が判定される。そのため、情報不足の判定対象のラベルの情報の件数が、他のラベルの情報の件数に比べて過度に少なくなることを防止できる。また、このように構成されることで、一部の観点（ラベル）に関する情報が過剰に収集されるという事態も防止でき、効率よく情報を収集することができる。
【００１８】
本発明の第５観点に係る情報提供システムは、第３観点又は第４観点に係る情報提供システムであって、閾値は、ラベル別に設定される。
【００１９】
本発明の第５観点に係る情報提供システムでは、ラベル別に閾値が設定されるため、各ラベル（観点）について適切な件数の情報を収集できる。
【００２０】
本発明の第６観点に係る情報提供システムは、第３観点から第５観点のいずれかに係る情報提供システムであって、出力部は、表示部に、閾値を変更するための変更指示受付部を表示させる。情報提供システムは、操作受付部を更に備える。操作受付部は、変更指示受付部に対する閾値の変更操作を受け付ける。
【００２１】
本発明の第６観点に係る情報提供システムでは、ラベルの情報不足を判定する閾値を適切な値に設定することができる。
【００２２】
本発明の第７観点に係る情報提供システムは、第３観点から第６観点のいずれかに係る情報提供システムであって、入力受付部を更に備える。入力受付部は、ユーザによる第１ラベルの入力を受け付ける。登録部が登録を受け付ける各ラベルは、第１ラベル、又は、第２ラベルのいずれかである。第２ラベルは、予め準備された汎用ラベルから選択される。第１ラベルの閾値は、自由に設定可能である。第２ラベルの閾値は、初期設定されている。
【００２３】
本発明の第７観点に係る情報提供システムでは、汎用ラベルから選択される第２ラベルについては閾値が初期設定されているため、第２ラベルと関連付けられた情報の必要量をユーザがわざわざ検討する必要がない。そのため、ユーザが利用しやすい情報提供システムを実現できる。一方で、ユーザが自由に入力するラベルについては、閾値を自由に設定できるため、ユーザの目的等に合わせて情報提供システムを利用することができる。
【００２４】
本発明の第８観点に係る情報提供システムは、第３観点から第７観点のいずれかに係る情報提供システムであって、登録部は、複数のラベルに対し、これらのラベルよりも上位の観点を示すラベルを上位ラベルとして登録する。蓄積制御部は、上位ラベルの下位の観点を示すラベルと関連付けて情報蓄積部に蓄積される情報を、上位ラベルとも関連付ける。情報提供システムは、上位ラベルの閾値を、上位ラベルの下位の観点を示すラベルの閾値に基づいて算出する算出部を更に備える。
【００２５】
本発明の第８観点に係る情報提供システムでは、下位の観点を示すラベルに対し、これらのラベルよりも上位の観点（上位ラベル）で情報を収集することが望まれる場合に、上位ラベル用の閾値が自動で算出される。そのため、上位の観点での情報が十分に収集されているかを判定することが容易である。
【００２６】
本発明の第９観点に係る情報提供システムは、第１観点から第８観点のいずれかに係る情報提供システムであって、出力部は、判定部により情報不足と判定されたラベルを特定する表示と、情報蓄積部に蓄積されている、判定部により情報不足と判定されたラベルと関連付けられた情報の少なくとも一部と、を表示部に同時に表示させる。
【００２７】
本発明の第９観点に係る情報提供システムでは、表示部に、情報不足と判定されたラベルを特定する表示と同時に、情報不足と判定されたラベルと関連付けられた情報が表示部に表示させられる。そのため、システムのユーザは、情報不足と判定されたラベルに関しどのような情報が蓄積されているのかをすぐに確認し、情報の質から見て更に情報が必要であるかを直ちに判断することができる。
【００２８】
なお、ここで、表示部にラベルと関連付けられた情報が表示されるとは、各情報の内容が表示部にそのまま表示される場合の他、各情報の抜粋が表示部に表示される場合や、各情報へのリンクが表示部に表示される場合を含む。
【発明の効果】
【００２９】
本発明の第１観点に係る情報提供システムでは、ラベルと関連付けられた情報の件数に応じて、そのラベルについての情報不足が判定され、情報不足の場合、情報不足のラベルを特定する表示が表示部に表示させられる。そのため、あるラベル（観点）に関する情報量が不十分であるにも関わらず、情報提供システムから提供される情報に基づき情報解析が行われてしまい、適切ではない解析結果しか得られないという事態の発生を抑制できる。また、システムのユーザは、どの観点の情報が不足しているかを容易に把握できるので、本システムを用いれば、既に十分な量の情報が収集されている観点の情報の収集に無駄に時間や金銭を費やす必要がなく、真に必要な情報を重点的に収集することができる。
【００３０】
本発明の第２観点に係る情報提供システムでは、システムのユーザがどのラベルの情報が不足しているかを容易に把握することができる。
【００３１】
本発明の第３観点に係る情報提供システムでは、各ラベルと関連付けられた情報の件数の絶対数が不足することを防止できる。
【００３２】
本発明の第４観点に係る情報提供システムでは、情報不足の判定対象のラベルの情報の件数が、他のラベルの情報の件数に比べて過度に少なくなることを防止できる。
【００３３】
本発明の第５観点に係る情報提供システムでは、各ラベル（観点）について適切な件数の情報を収集できる。
【００３４】
本発明の第６観点に係る情報提供システムでは、ラベルの情報不足を判定する閾値を適切な値に設定することができる。
【００３５】
本発明の第７観点に係る情報提供システムは、ユーザが利用しやすい。
【００３６】
本発明の第８観点に係る情報提供システムでは、下位の観点を示すラベルに対し、これらのラベルよりも上位の観点（上位ラベル）で情報を収集することが望まれる場合に、上位ラベル用の閾値が自動で算出される。そのため、上位の観点での情報が十分に収集されているかを判定することが容易である。
【００３７】
本発明の第９観点に係る情報提供システムでは、システムのユーザが、情報不足と判定されたラベルに関しどのような情報が蓄積されているのかをすぐに確認し、情報の質から見て更に情報が必要であるかを直ちに判断することができる。
【図面の簡単な説明】
【００３８】
【図１】本発明の一実施形態に係る情報提供システムのブロック図である。
【図２】図１の情報提供システムの出力部によって表示部に表示させられる情報提供画面の一例である。
【図３】図１の情報提供システムの出力部によって表示部に表示させられる情報提供画面の他の例である。
【図４Ａ】図１の情報提供システムの記憶部の汎用ラベル記憶領域に閾値と共に記憶されている汎用ラベルの一例である。
【図４Ｂ】図１の情報提供システムの記憶部の利用ラベル記憶領域に閾値と共に記憶されるラベルのうち、ユーザにより入力されて登録される第１ラベルの一例である。
【図５】図１の情報提供システムが実行する情報不足報知処理のフローチャートの一例である。
【発明を実施するための形態】
【００３９】
本発明の一実施形態に係る情報提供システム１００について、図面を参照しながら説明する。なお、以下の説明は、本発明に係る情報提供システムの実施例に過ぎず、本発明の要旨を変更しない範囲で適宜変更可能である。
【００４０】
（１）全体概要
本実施形態の情報提供システム１００は、情報を収集して有用情報を提供するシステムである。
【００４１】
例えば、情報提供システム１００は、以下の処理を実行する。
【００４２】
情報提供システム１００は、ネットワークを介して、外部のニュースサイト、ビジネスデータベース、ソーシャル・ネットワーキング・システム等から情報を受け付ける。そして、情報提供システム１００は、受け付けた情報を観点別に整理して蓄積し、観点別に整理された情報を有用情報として情報提供システム１００のユーザ（以後、単にユーザと呼ぶ）に提供する。ここでは、情報提供システム１００の実行するこのような処理を、有用情報提供処理と呼ぶ。有用情報提供処理の詳細については後述する。
【００４３】
なお、有用情報提供処理は、情報提供システム１００の実行する処理の一例に過ぎない。情報提供システム１００は、有用情報提供処理以外の各種処理を実行してもよい。
【００４４】
図１は、情報提供システム１００の構成を示すブロック図である。
【００４５】
情報提供システム１００は、主にサーバ２００を有する（図１参照）。サーバ２００は、出力部２１０、受付部２２０、入力部２３０、表示部２４０、記憶部２５０、処理部２６０、及びデータベース３００を主に有する（図１参照）。
【００４６】
ユーザは、ネットワーク５０を介してサーバ２００に接続されるユーザ端末１０Ａからサーバ２００にアクセスして情報提供システム１００を利用する。ここでは、ネットワーク５０はインターネットである。図１の例では、１台のユーザ端末１０Ａがネットワーク５０を介して情報提供システム１００に接続されている。ただし、図１に示した情報提供システム１００に接続されるユーザ端末の台数は例示に過ぎず、これに限定されるものではない。例えば、情報提供システム１００は、複数台のユーザ端末が接続可能に構成されてもよい。また、情報提供システム１００は、複数のユーザが同時利用可能に構成されてもよい。図示は省略するが、サーバ２００は、ネットワーク５０を介して、外部のニュースサイト、ビジネスデータベース、ソーシャル・ネットワーキング・システム等とも接続されている。
【００４７】
なお、ネットワーク５０は、インターネットに限定されるものではない。ネットワーク５０は、ＬＡＮ（Ｌｏｃａｌ  Ａｒｅａ  Ｎｅｔｗｏｒｋ）や、イントラネット等であってもよい。ただし、ネットワーク５０がインターネットではない場合には、サーバ２００は、図示しないインターネットを介して、外部のニュースサイト、ビジネスデータベース、ソーシャル・ネットワーキング・システム等と接続可能に構成されることが好ましい。
【００４８】
（２）詳細説明
ユーザ端末１０Ａ及びサーバ２００について詳細に説明する。
【００４９】
（２−１）ユーザ端末
ユーザ端末１０Ａは、サーバ２００の提供する情報提供システム１００としての機能を
利用するクライアント側のコンピュータである。
【００５０】
ユーザ端末１０Ａは、例えば、一般的なパーソナルコンピュータである。ただし、これに限定されるものではなく、ユーザ端末１０Ａは、タブレット端末や、スマートフォン等であってもよい。
【００５１】
ユーザ端末１０Ａは、例えば、図示しないＣＰＵ（Ｃｅｎｔｒａｌ  Ｐｒｏｃｅｓｓｉｎｇ  Ｕｎｉｔ）、メモリ、ハードディスク等の外部記憶装置、及び通信装置を有する。また、ユーザ端末１０Ａは、それぞれ、キーボード、マウス、タッチパネル等の入力部２０Ａを有する。また、ユーザ端末１０Ａは、それぞれ、ディスプレイ等の表示部３０Ａを有する。ユーザ端末１０Ａは、ＣＰＵが、ハードディスクに記憶されているプログラムをメモリに読み出して実行することで各種処理を実行する。
【００５２】
なお、ユーザが、ユーザ端末１０Ａから情報提供システム１００を利用する際、表示部３０Ａには、サーバ２００で生成された画面がサーバ２００の出力部２１０により表示させられる。また、ユーザが、ユーザ端末１０Ａから情報提供システム１００を利用する際、表示部３０Ａに表示される画面において、ユーザが入力部２０Ａを用いて各種操作を行うと、画面に対する操作内容がサーバ２００の受付部２２０により受け付けられる。サーバ２００は、受付部２２０が受け付けた画面に対する操作内容に応じて各種処理を行う。
【００５３】
ここでは、ユーザ端末１０Ａの各機能部の内、情報提供システム１００の利用と関連する入力部２０Ａ及び表示部３０Ａについて主に説明する。
【００５４】
（２−１−１）入力部
入力部２０Ａは、上記のように、キーボード、マウス、タッチパネル等の入力装置である。ユーザは、入力部２０Ａを用いて、表示部３０Ａに表示される画面において各種操作（情報の入力を含む）を行う。
【００５５】
表示部３０Ａに表示される画面において入力部２０Ａを用いて行われた操作は、ユーザ端末１０Ａの図示しない通信装置からネットワーク５０を介してサーバ２００に送信され、サーバ２００の受付部２２０により受け付けられる。サーバ２００の処理部２６０は、受付部２２０が受け付けたユーザが画面に対して行った操作に応じて各種処理を実行する。ユーザが、表示部３０Ａに表示される画面において入力部２０Ａを用いて行う操作の例については後述する。
【００５６】
（２−１−２）表示部
表示部３０Ａは、上記のように、例えばディスプレイである。ユーザがユーザ端末１０Ａから情報提供システム１００を利用する際、表示部３０Ａには、サーバ２００の出力部２１０によって、ユーザに対して情報を提示するための画面や、ユーザが操作を行う画面が表示させられる。
【００５７】
例えば、表示部３０Ａには、サーバ２００の出力部２１０によって、図２及び図３に示すような情報提示画面が表示させられる。図２及び図３の情報提示画面については後ほど説明する。
【００５８】
（２−２）サーバ
サーバ２００は、クライアントであるユーザ端末１０Ａに対し情報提供システム１００の各種機能を提供するコンピュータである。
【００５９】
サーバ２００は、例えば、図示しないＣＰＵ、メモリ、ハードディスク等の外部記憶装置、及び通信装置を構成として有する。また、サーバ２００は、キーボードやマウス等の入力部２３０や、ディスプレイ等の表示部２４０を有する。ＣＰＵが、ハードディスクに記憶されている情報提供システム１００としての各種処理を実行するためのプログラムをメモリに読み出して実行することで、サーバ２００は情報提供システム１００として各種処理を実行する。
【００６０】
サーバ２００は、出力部２１０、受付部２２０、入力部２３０、表示部２４０、記憶部２５０、処理部２６０、及びデータベース３００を主に有する（図１参照）。
【００６１】
ここでは、情報提供システム１００が、有用情報提供処理と、有用情報提供処理と関連して行われる後述する情報不足報知処理と、を実行する上で必要なサーバ２００の構成を中心に説明を行う。具体的には、ここでは、出力部２１０、受付部２２０、記憶部２５０、処理部２６０、及びデータベース３００について説明する。また、ここでは、これらの要素に関し、情報提供システム１００が有用情報提供処理及び情報不足報知処理を実行する上で必要な構成・機能を中心に説明する。
【００６２】
初めに、有用情報提供処理及び情報不足報知処理について概説する。
【００６３】
＜有用情報提供処理＞
コンピュータの利用により、多くの情報を収集して蓄積することは容易になっている。しかし、情報は、何ら整理をされていない状態では、利用しづらく、有効に活用することが難しい。有用情報提供処理は、このような問題に対処する処理であり、情報を収集し、これを観点別に整理した情報をユーザに有用情報として提供する処理である。
【００６４】
情報提供システム１００に有用情報提供処理を実行させる際には、ユーザは、先ず、後述する記憶部２５０の利用ラベル記憶領域２５４に複数のラベルを登録する。ラベルは、ユーザが情報を収集したい観点を示す。複数のラベルは、それぞれが互いに異なる観点を示す。
【００６５】
利用ラベル記憶領域２５４へのラベルの登録は、具体的には後述する登録部２６２が行う。登録部２６２は、後述するようにユーザが入力部２０Ａから入力したラベル、又は、ユーザが入力部２０Ａを用いて予め準備された汎用ラベルから選択したラベル、の登録を受け付ける。そして、登録部２６２は、登録を受け付けたラベルを利用ラベル記憶領域２５４に記憶させる。なお、以下では、登録部２６２が登録を受け付けるラベルのうち、ユーザが入力部２０Ａから入力する（自由入力する）ラベルを第１ラベルと呼ぶ。また、登録部２６２が登録を受け付けるラベルのうち、ユーザが入力部２０Ａを用いて予め準備された汎用ラベルから選択するラベルを第２ラベルと呼ぶ。
【００６６】
このように、利用ラベル記憶領域２５４にラベルが記憶されると、情報提供システム１００は、外部のニュースサイト、ビジネスデータベース、ソーシャル・ネットワーキング・システム等から受け付けた情報を、各ラベルと関連付けて（言い換えれば、観点別に整理して）データベース３００に蓄積する。そして、サーバ２００の出力部２１０は、ラベル別に整理された情報を有用情報として表示部３０Ａに表示させることでユーザに対して提供する。
【００６７】
有用情報提供処理については、以下の各要素の説明や、情報不足報知処理に関する説明を通して、より詳細に説明する。
【００６８】
＜情報不足報知処理＞
情報提供システム１００では、有用情報提供処理が行われる時に、あるラベルに関して収集された情報の件数が十分であるかが判定される。具体的には、有用情報提供処理において、複数のラベルのそれぞれと関連付けられてデータベース３００に情報が蓄積されると、後述する処理部２６０の判定部２７０が、各ラベルについて、そのラベルと関連付けられてデータベース３００に蓄積されている情報の件数に応じて情報不足を判定する。判定部２７０は、各ラベルについて、そのラベルと関連付けられてデータベース３００に蓄積されている情報の件数に関する数を、そのラベルについて準備された閾値と比較した結果に基づき、そのラベルについての情報不足を判定する。そして、情報提供システム１００は、判定部２７０により情報不足と判定されたラベルをユーザに知らせる。この一連の処理を情報不足報知処理と呼ぶ。
【００６９】
情報不足報知処理については、以下の各要素の説明や、情報不足報知処理に関する説明を通して、より詳細に説明する。
【００７０】
（２−２−１）出力部
出力部２１０は、ユーザがユーザ端末１０Ａから情報提供システム１００を利用する際に、ユーザ端末１０Ａの表示部３０Ａに各種画面を表示させる。つまり、出力部２１０は、表示部３０Ａの表示内容を制御する表示制御部である。出力部２１０は、ユーザに対して情報を提示するための画面や、ユーザが操作を行う画面を表示部３０Ａに表示させる。
【００７１】
出力部２１０が、表示部３０Ａに表示させる画面には、限定するものではないが、例えば図２及び図３に示すような情報提示画面を含む。図２及び図３の情報提示画面は、情報不足報知処理の結果、出力部２１０が表示部３０Ａに表示させる画面の一例である。
【００７２】
図２の情報提示画面について説明する。
【００７３】
例えば、ある企業の社員であるユーザが、ビジネス戦略策定を目的として、情報提供システム１００に観点別情報提供処理を実行させ、３Ｃ（顧客（Ｃｕｓｔｏｍｅｒ）、競合（Ｃｏｍｐｅｔｉｔｏｒ）、自社（Ｃｏｍｐａｎｙ））の観点で整理された情報（有用情報）を取得しようとしたとする。そして、観点別情報提供処理が実行される際に、情報提供システム１００において情報不足報知処理が実行され、処理部２６０の判定部２７０が１つのラベルＬ１（「顧客」のラベル）について情報不足と判定したとする。図２の情報提示画面は、このような場合に、出力部２１０が表示部３０Ａに表示させる画面の例である。
【００７４】
図２の情報提示画面の表示内容について説明する。
【００７５】
図２の情報提示画面の左下側の領域Ｆ１には、「３Ｃ」というラベルと関連付けて、また３Ｃの各項目のラベル（「顧客」、「競合」、「自社」のラベル）と関連付けて、データベース３００に何件の情報（例えばニュース）が蓄積されているかを示すリストが表示される。「３Ｃ」というラベルは、「顧客」、「競合」、「自社」という観点のラベルに対し、上位の観点を示すラベルである。ここでは、上位の観点を示す「３Ｃ」というラベルを、「顧客」、「競合」、「自社」というラベルの上位ラベルと呼ぶ。図２の情報提示画面では、左下端の領域Ｆ１に、各ラベルの文字「３Ｃ」、「顧客」、「競合」、「自社」が上下方向に並べて配置されている。各文字の右隣に付した括弧内の数字は、そのラベルと関連付けてデータベース３００に蓄積された情報の件数を示している。なお、図２の情報提示画面の左下端の領域Ｆ１に描画されるリストには、登録されている他の上位ラベル（ここでは「ステータス」や「分類」のラベル）と、このラベルと関連付けてデータベース３００に蓄積させられた情報の件数も示されている。ユーザは、表示部３０Ａに表示される図２の情報提示画面において、入力部２０Ａから所定の操作を行うことで、他の上位ラベルの下位のラベルや、そのラベルと関連付けてデータベース３００に蓄積させられた情報の件数も表示させることができるよう構成されている（図示及び詳細な説明は省略）。
【００７６】
出力部２１０は、図２の情報提示画面を表示部３０Ａに表示させることで、判定部２７０により情報不足と判定されたラベルＬ１を特定する表示を、表示部３０Ａに表示させる。具体的には、出力部２１０は、判定部２７０により情報不足と判定されたラベルを特定するため、判定部２７０により情報不足と判定されたラベルＬ１を表示部３０Ａに強調表示させている。図２の情報提示画面では、左下端の領域Ｆ１に描画されるリストの「顧客」というラベル（判定部２７０により情報不足と判定されたラベルＬ１）が表示されるエリアが、他のラベルが表示されるエリアと違う色で着色されている。例えば、図２の情報提示画面では、情報不足と判定されたラベルＬ１が表示されるエリアは赤等の目立つ色で着色され、他のラベルが表示されるエリアは白色等で着色される。このような強調表示により、ユーザに、「顧客」というラベルが情報不足であると判定されていることに気づかせることができる。
【００７７】
また、図２の情報提示画面の中央の領域Ｆ２には、データベース３００に蓄積された情報が画像Ｊとして表示されている。特にここでは、判定部２７０により情報不足と判定された「顧客」というラベルと関連付けられてデータベース３００に蓄積された情報が、画像Ｊとして図２の情報提示画面の中央の領域Ｆ２に配置されている。つまり、出力部２１０は、判定部２７０により情報不足と判定されたラベルＬ１を特定する表示と、データベース３００に蓄積されている、判定部２７０により情報不足と判定されているラベルＬ１と関連付けられている情報と、を表示部３０Ａに同時に表示させる。
【００７８】
なお、ここでは、出力部２１０は、判定部２７０により情報不足と判定された「顧客」というラベルと関連付けられてデータベース３００に蓄積された情報のうちの一部を表示部３０Ａに表示させているが、これに限定されるものではない。出力部２１０は、判定部２７０により情報不足と判定された「顧客」というラベルと関連付けられてデータベース３００に蓄積された情報の全数（全件）を表示部３０Ａに表示させてもよい。
【００７９】
画像Ｊは、少なくともデータベース３００に蓄積された情報を部分的に把握可能な内容を表示するものであればよい。例えば、本実施形態では、データベース３００に蓄積された情報は文章であって、画像Ｊとして表示される内容は、文章のタイトルと、文章の書き出し部分と、である。なお、このように構成される場合、表示部３０Ａに表示させられる情報提示画面において、例えばユーザが入力部２０Ａのマウスを用いて画像Ｊをクリックすると、データベース３００に蓄積された情報全体が表示されることが好ましい。
【００８０】
また、例えば、データベース３００に蓄積された情報が表やグラフ等である場合、画像Ｊは表やグラフ等のサムネイル画像であってもよい。このように構成される場合、表示部３０Ａに表示させられる情報提示画面において、ユーザが入力部２０Ａのマウスを用いて画像Ｊをクリックすると、サムネイルが拡大表示されることが好ましい。
【００８１】
また、画像Ｊは、データベース３００に蓄積された情報の全体（例えば情報が文章であれば全文）を表示するものであってもよい。
【００８２】
また、画像Ｊは、データベース３００に蓄積された情報へのリンクを表示するものであってもよい。
【００８３】
次に、図３の情報提示画面について説明する。
【００８４】
例えば、ユーザが、他社動向を把握するため、情報提供システム１００に観点別情報提供処理を実行させ、タブレット端末のメーカーであるＡ社、Ｂ社、Ｃ社、Ｄ社の観点（ラベル）で整理された有用情報を取得しようとしたとする。そして、観点別情報提供処理が実行される際に、情報提供システム１００において情報不足報知処理が実行され、処理部２６０の判定部２７０が、１つのラベルＬ２（「Ａ社」のラベル）について情報不足と判定したとする。図３の情報提示画面は、このような場合に、出力部２１０が表示部３０Ａに表示させる画面の例である。
【００８５】
図３の情報提示画面の表示内容について説明する。
【００８６】
図３の情報提示画面の上部の領域Ｆ３には、「Ａ社」、「Ｂ社」、「Ｃ社」、「Ｄ社」「タブレット端末メーカー」のそれぞれのラベルと関連付けて、データベース３００に何件の情報（例えばニュース）が蓄積されているかを示すリストが表示されている。「タブレット端末メーカー」というラベルは、「Ａ社」、「Ｂ社」、「Ｃ社」、「Ｄ社」という観点のラベルに対し、上位の観点を示すラベルである。図３の情報提示画面では、図面の上部の領域Ｆ３に、各ラベルの文字「Ａ社」、「Ｂ社」、「Ｃ社」、「Ｄ社」、「タブレット端末メーカー」が左右方向に並べられている。各文字の右隣に付した括弧内の数字は、そのラベルと関連付けてデータベース３００に蓄積された情報の件数を示している。
【００８７】
なお、出力部２１０は、図３の情報提示画面を表示部３０Ａに表示させることで、判定部２７０により情報不足と判定されたラベルＬ２を特定する表示を、表示部３０Ａに表示させる。具体的には、出力部２１０は、判定部２７０により情報不足と判定されたラベルを特定するため、判定部２７０により情報不足と判定されたラベルＬ２を表示部３０Ａに強調表示させている。
【００８８】
例えば、出力部２１０は、判定部２７０により情報不足と判定されたラベルＬ２を特定するため、図３の情報提示画面において、領域Ｆ３に描画されるリストの「Ａ社」というラベル（判定部２７０により情報不足と判定されたラベルＬ２）の位置を、他のラベルに比べて目立つ位置に表示させている。
【００８９】
例えば、出力部２１０は、判定部２７０により情報不足と判定されたラベルが存在しなければ、情報提示画面の領域Ｆ３に、ラベルと関連付けられてサーバ２００に蓄積されている情報の件数が多い順に、「Ａ社」、「Ｂ社」、「Ｃ社」、「Ｄ社」のラベルが左側から並べられるよう構成されている。例えば、ここでは、判定部２７０により情報不足と判定されたラベルが存在しなければ、ラベルと関連付けられてサーバ２００に蓄積されている情報の件数の多い「Ｂ社」、「Ｃ社」、「Ｄ社」、「Ａ社」の順にラベルが並べて表示される。しかし、ここでは、「Ａ社」というラベルが判定部２７０により情報不足と判定されているため、情報不足と判定されている「Ａ社」のラベルＬ２が、リストの先頭（左端）に配置される。
【００９０】
また、例えば、出力部２１０は、判定部２７０により情報不足と判定されたラベルＬ２を特定するため、図３の情報提示画面において、領域Ｆ３に描画されるリストの「Ａ社」というラベル（判定部２７０により情報不足と判定されたラベルＬ２）を、他のラベルよりも大きく表示させている。
【００９１】
なお、ここでは、情報不足と判定されたラベルＬ２を特定するため、２種類の強調表示の態様（情報不足と判定されたラベルＬ２をリストの先頭に配置、情報不足と判定されたラベルＬ２を他のラベルより大きく表示）を同時に用いているが、これに限定されるものではない。出力部２１０は、いずれか一方の強調表示の態様だけを用いて、情報不足と判定されたラベルＬ２を表示部３０Ａに表示させてもよい。
【００９２】
なお、判定部２７０により情報不足と判定されたラベルの強調表示について、図２及び図３を用いて例示したが、強調表示の態様はこれらの態様に限定されるものではない。例えば、強調表示は、情報不足と判定されたラベルの文字を、他のラベルの文字に比べて太字で表示する、他のラベルの文字とは書体を変えて表示する、他のラベルの文字とは色を変えて表示する、等の態様であってもよい。また、強調表示は、情報不足と判定されたラベルを、他のラベルとは離して、情報表示画面の異なる位置に配置するものであってもよい。その他、情報不足と判定されたラベルを特定するための表示には、様々な態様の強調表示を採用可能である。
【００９３】
また、情報不足と判定されたラベルを特定するための表示は、データベース３００に蓄積されている、情報不足と判定されたラベルと関連付けられた情報の件数が少ないことを示すメッセージであってもよい。
【００９４】
また、図３の情報提示画面の中央の領域Ｆ４には、データベース３００に蓄積された情報が画像Ｊとして表示されている。特にここでは、判定部２７０により情報不足と判定された「Ａ社」というラベルＬ２と関連付けられてデータベース３００に蓄積された情報が、画像Ｊとして図３の情報提示画面の中央の領域Ｆ４に配置されている。画像Ｊの表示については、図２の情報提示画面と同様であるので、説明は省略する。
【００９５】
さらに、表示部３０Ａに表示させられる図３の情報提示画面の右端中央部には、変更指示受付部Ｂが表示される。変更指示受付部Ｂについては後述する。
【００９６】
（２−２−２）受付部
受付部２２０は、サーバ２００の外部（外部のニュースサイト、ビジネスデータベース、ソーシャル・ネットワーキング・システム等）から情報や、各種指令（入力部２０Ａを用いて行われる、表示部３０Ａに表示させられる画面における操作を含む）を、ネットワーク５０を介して受け付ける。
【００９７】
受付部２２０は、操作受付部の一例である。受付部２２０は、ユーザ端末１０Ａにおいて入力部２０Ａを用いて行われる、表示部３０Ａに表示させられる図３のような情報提示画面の変更指示受付部Ｂに対する閾値の変更操作を受け付ける。変更指示受付部Ｂに対する閾値の変更操作は、例えば、入力部２０Ａのキーボードを用いて行われる。受付部２２０が、表示部３０Ａに表示させられる変更指示受付部Ｂに対する閾値の変更操作を受け付けると、後述する登録部２６２は、図３の情報提示画面において情報不足であるとして特定表示されているラベルについて準備されている（後述する利用ラベル記憶領域２５４に記憶されている）閾値を変更する。
【００９８】
また、受付部２２０は、入力受付部の一例である。受付部２２０は、表示部３０Ａに表示させられるラベル登録画面（図示せず）において、入力部２０Ａを用いて行われるラベル（第１ラベル）の入力操作を受け付ける。つまり、受付部２２０は、ユーザによる第１ラベルの入力を受け付ける。また、受付部２２０は、表示部３０Ａに表示させられるラベル登録画面（図示せず）において、入力部２０Ａを用いて行われる第１ラベルの閾値の入力操作を受け付ける。第１ラベルの閾値は、ユーザが自由に設定可能な値である。
【００９９】
また、受付部２２０は、表示部３０Ａに表示させられるラベル登録画面（図示せず）において、ユーザ端末１０Ａにおいて入力部２０Ａを用いて行われる、予め準備された汎用ラベルからのラベル（第２ラベル）の選択操作を受け付ける。つまり、受付部２２０は、ユーザによる第２ラベルの入力を受け付ける。
【０１００】
また、受付部２２０は、情報受付部の一例である。受付部２２０は、処理部２６０が図示しない通信装置からネットワーク５０を介して送信する情報の送信要求に応じて、ニュースサイト、各種ビジネスデータベース、ソーシャル・ネットワーキング・システム等から送信されてくる情報を受け付ける。
【０１０１】
（２−２−３）記憶部
記憶部２５０は、サーバ２００のＣＰＵに情報提供システム１００としての機能を実行させるためのプログラムを記憶している。
【０１０２】
また、記憶部２５０には、情報提供システム１００を機能させるための各種情報等が記憶される。記憶部２５０は、情報提供システム１００を機能させるための情報を記憶する記憶領域として、汎用ラベル記憶領域２５２と、利用ラベル記憶領域２５４と、情報件数記憶領域２５６と、を主に有する。
【０１０３】
（２−２−３−１）汎用ラベル記憶領域
汎用ラベル記憶領域２５２には、情報提供システム１００のユーザが利用する可能性の高い観点のラベル（汎用ラベル）が予め記憶されている。例えば、汎用ラベル記憶領域２５２には、ビジネス戦略策定に用いられることの多い「３Ｃ」という上位ラベルや、「３Ｃ」の下位の観点である「顧客」、「競合」、「自社」のラベルが汎用ラベルとして記憶されている。
【０１０４】
汎用ラベル記憶領域２５２には、汎用ラベルが、その汎用ラベルについて準備された閾値と共に記憶されている。汎用ラベル記憶領域２５２に記憶されている閾値は、初期設定されている値である。
【０１０５】
例えば、図４Ａの例では、「３Ｃ」というラベルについては、絶対値の閾値「３０」が予め記憶されている。また、図４Ａの例では、「顧客」、「競合」、「自社」というラベルのそれぞれについて、絶対値の閾値「１５」、「５」、「１０」が予め記憶されている。また、図４Ａの例では、「顧客」、「競合」、「自社」というラベルのそれぞれについて、相対的な閾値「４０％」、「５％」、「２５％」が記憶されている。なお、ここでは、相対的な閾値は、そのラベルと関連付けられた情報の件数の、そのラベルの上位ラベルと関連付けられた情報の件数に対する比、と比較される閾値である。
【０１０６】
汎用ラベルの閾値は、各汎用ラベルについて適切に設定されており、例えば図４Ａのようにそれぞれ異なる値である。ただし、これに限定されるものではなく、各汎用ラベルの閾値は、全て同一の値であってもよい。
【０１０７】
（２−２−３−２）利用ラベル記憶領域
利用ラベル記憶領域２５４には、後述する処理部２６０の登録部２６２によって登録が受け付けられたラベルを記憶する領域である。
【０１０８】
利用ラベル記憶領域２５４に記憶されるラベルには、第１ラベル（ユーザが入力部２０Ａを用いて入力したラベル）と、第２ラベル（ユーザが入力部２０Ａを用いて選択したラベル）と、を含む。第２ラベルは、汎用ラベル記憶領域２５２に記憶されている汎用ラベルから選択されるラベルである。
【０１０９】
利用ラベル記憶領域２５４には、第１ラベルが、受付部２２０が受け付けた第１ラベルの閾値と共に記憶される。
【０１１０】
例えば、図４Ｂのように、「Ｘ社」、「Ｙ社」、「Ｚ社」、「Ａ社」、「Ｂ社」、「Ｃ社」、「Ｄ社」というような第１ラベルと、各第１ラベルについて入力部２０Ａから入力された絶対値の閾値「１０」、「２０」、「１０」、「１０」、「２０」、「１０」、「１０」と、が関連付けられて利用ラベル記憶領域２５４には記憶される。なお、ここでは、第１ラベルと、その第１ラベルの絶対値の閾値とが利用ラベル記憶領域２５４に記憶されるが、これに限定されるものではない。例えば、利用ラベル記憶領域２５４には、第１ラベルの絶対値の閾値に代えて、あるいは、第１ラベルの絶対値の閾値に加えて、その第１ラベルの相対的な閾値（２−２−３−１の説明参照）が、記憶されてもよい。
【０１１１】
なお、利用ラベル記憶領域２５４には、他の第１ラベルの上位の観点を示す第１ラベルを、上位の第１ラベル（上位ラベル）として記憶可能である。例えば、利用ラベル記憶領域２５４には、「Ｘ社」、「Ｙ社」、「Ｚ社」の上位の観点を示す「パソコンメーカー」という上位の第１ラベルを記憶可能である。また、例えば、利用ラベル記憶領域２５４には、「Ａ社」、「Ｂ社」、「Ｃ社」、「Ｄ社」の上位の観点を示す「タブレット端末メーカー」という上位の第１ラベルを記憶可能である。なお、利用ラベル記憶領域２５４に、上位の第１ラベルが記憶される際には、受付部２２０が受け付ける第１ラベルの閾値ではなく、後述する算出部２６４に算出された閾値が記憶される。ただし、これに限定されるものではなく、上位の第１ラベルが記憶される際にも、受付部２２０が受け付ける第１ラベルの閾値が、利用ラベル記憶領域２５４に記憶されるよう構成されてもよい。
【０１１２】
また、利用ラベル記憶領域２５４には、登録部２６２の登録処理に応じ、第２ラベルが、汎用ラベル記憶領域２５２に記憶されているその第２ラベルの閾値と共に記憶される。
【０１１３】
（２−２−３−３）情報件数記憶領域
情報件数記憶領域２５６には、後述する処理部２６０の集計部２６８によって集計された、データベース３００に記憶されている各ラベルと関連付けられている情報の件数が、ラベル別に記憶される。
【０１１４】
（２−２−４）処理部
処理部２６０は、情報提供システム１００としての機能をユーザに提供するため各種処理を実行する。処理部２６０が実行する処理には、有用情報提供処理及び情報不足報知処理を含む。
【０１１５】
以下に、処理部２６０の機能部のうち、有用情報提供処理及び情報不足報知処理に特に関連する、登録部２６２、算出部２６４、蓄積制御部２６６、集計部２６８、及び判定部２７０について説明する。
【０１１６】
（２−２−４−１）登録部
登録部２６２は、ユーザによるラベルの登録を受け付ける。
【０１１７】
具体的には、受付部２２０が、ユーザによる第１ラベルの入力（自由入力）、又は、ユーザによる予め準備された汎用ラベル（汎用ラベル記憶領域２５２に記憶された汎用ラベル）からの第２ラベルの選択を受け付けると、登録部２６２は、受付部２２０が受け付けたラベル（第１ラベル又は第２ラベル）の登録を受け付ける。具体的には、登録部２６２は、受付部２２０が受け付けたラベルを、利用ラベル記憶領域２５４に記憶する。
【０１１８】
なお、登録部２６２は、複数のラベルに対し、これらのラベルよりも上位の観点を示すラベルを上位ラベルとして登録可能である。例えば、登録部２６２は、図４Ｂのように、「Ａ社」、「Ｂ社」、「Ｃ社」、「Ｄ社」というような複数のラベルに対し、これらのラベルよりも上位の観点を示す「タブレット端末メーカー」というラベルを、上位ラベルとして登録可能である。登録部２６２が上位ラベルを登録する際には、その上位ラベルがどのラベルの上位ラベルであるかが、利用ラベル記憶領域２５４に記憶される。
【０１１９】
また、例えば、受付部２２０が、汎用ラベル記憶領域２５２に記憶されている「３Ｃ」「顧客」、「競合」、「自社」というラベルの一括選択を受け付けると、登録部２６２は、これらの第２ラベルの登録を受け付ける。なお、登録部２６２は、第２ラベルの登録を受け付ける際、汎用ラベル記憶領域２５２に記憶されている、１つの上位ラベル（図４Ａであれば「３Ｃ」というラベル）と、その下位のラベル（「顧客」、「競合」、「自社」というラベル）の全てとの一括登録を受け付ける必要はない。例えば、登録部２６２は、ユーザの選択に応じて、一部のラベル（例えば、「顧客」及び「競合」のラベル）だけの登録を受け付けてもよい。
【０１２０】
登録部２６２が第１ラベルの登録を受け付ける際、その第１ラベルが他のラベルの上位ラベルでなければ、受付部２２０がその第１ラベルについて受け付ける閾値（例えば、図４Ｂのような絶対値の閾値）が、その第１ラベルと関連付けられて利用ラベル記憶領域２５４に記憶される。第１ラベルの閾値は、ユーザが自由に設定可能である。
【０１２１】
登録部２６２が他のラベルの上位ラベルである第１ラベルの登録を受け付ける際には、後述する算出部２６４が算出する閾値が、その第１ラベルと関連付けて利用ラベル記憶領域２５４に記憶される。
【０１２２】
また、登録部２６２が第２ラベルの登録を受け付ける際には、汎用ラベル記憶領域２５２に記憶されている、その第２ラベルと関連付けられている閾値（例えば、図４Ａのような絶対値の閾値及び相対的な閾値）が、その第２ラベルと関連付けられて利用ラベル記憶領域２５４に記憶される。第２ラベルの閾値（汎用ラベル記憶領域２５２に記憶されている閾値）は、初期設定されている閾値である。
【０１２３】
また、登録部２６２は、受付部２２０が、表示部３０Ａに表示される情報提示画面に表示される変更指示受付部に対する閾値の変更操作を受け付けると、情報提示画面において情報不足であるとして特定表示されているラベルについて利用ラベル記憶領域２５４に記憶されている閾値を変更する。
【０１２４】
例えば、登録部２６２は、受付部２２０が表示部３０Ａに表示される図３の情報提示画面に表示される変更指示受付部Ｂに対する閾値の変更操作を受け付けると、図３の情報提示画面において情報不足であるとして特定して表示されている「Ａ社」のラベルについて利用ラベル記憶領域２５４に記憶されている閾値が変更される。
【０１２５】
（２−２−４−２）算出部
算出部２６４は、登録部２６２が上位ラベルを登録する際に、上位ラベルの閾値を、その上位ラベルの下位の観点を示すラベルの閾値に基づいて算出する。
【０１２６】
例えば、登録部２６２は、図４Ｂのように、「Ａ社」、「Ｂ社」、「Ｃ社」、「Ｄ社」というような複数の第１ラベルの登録を受け付けているとする。そして、「Ａ社」、「Ｂ社」、「Ｃ社」、「Ｄ社」というような複数の第１ラベルと、それらの第１ラベルの閾値と、が利用ラベル記憶領域２５４に記憶されているとする。
【０１２７】
算出部２６４は、登録部２６２が「Ａ社」、「Ｂ社」、「Ｃ社」、「Ｄ社」という複数の第１ラベルの上位の第１ラベルである「タブレット用端末メーカー」という第１ラベルの登録を受け付ける時に、上位の第１ラベルの閾値を、その下位の観点を示す第１ラベルの閾値に基づいて算出する。
【０１２８】
具体的には、算出部２６４は、登録部２６２が「Ａ社」、「Ｂ社」、「Ｃ社」、「Ｄ社」という複数の第１ラベルの上位ラベルである「タブレット用端末メーカー」という第１ラベルの登録を受け付ける時に、上位の第１ラベルの閾値を、その下位の観点を示す第１ラベルの閾値「１０」、「２０」、「１０」、「１０」を足し合わせることで、閾値「５０」を算出する。
【０１２９】
算出部２６４により算出された閾値は、閾値の算出対象の第１ラベル（上位ラベル）の閾値として、利用ラベル記憶領域２５４に記憶される。
【０１３０】
（２−２−４−３）蓄積制御部
蓄積制御部２６６は、受付部２２０が受け付けた情報を、登録部２６２により登録が受け付けられたラベルの少なくとも１つと関連付けてデータベース３００に蓄積させる。
【０１３１】
蓄積制御部２６６は、例えば以下の様に、受付部２２０が受け付けた情報を、登録部２６２により登録が受け付けられたラベルの少なくとも１つと関連付けてデータベース３００に蓄積させる。
【０１３２】
蓄積制御部２６６は、登録部２６２により登録が受け付けられたラベル（利用ラベル記憶領域２５４に記憶されたラベル）に対して、これに関連するキーワードを予め設定しておく。例えば、蓄積制御部２６６は、受付部２２０が入力部２０Ａからのラベルの入力又は選択を受け付けた際に、ユーザに対しそのラベルに関連するキーワードの入力を促し、受付部２２０が入力部２０Ａから受け付けたキーワードを、そのラベルのキーワードに設定する。あるいは、蓄積制御部２６６は、記憶部２５０に予め記憶されたラベルとキーワードとを関連付けたテーブルを参照することで、そのラベルと関連付けられるキーワードを設定してもよい。また、例えば、蓄積制御部２６６は、受付部２２０が受け付けた、ユーザが入力部２０Ａから入力する、あるラベルについてのサンプルの情報、に頻出する語を抽出し、抽出した語をそのラベルに関連するキーワードとして設定してもよい。
【０１３３】
次に、処理部２６０は、図示しない通信装置に、ユーザの指定した外部のサイト（外部のニュースサイト、ビジネスデータベース、ソーシャル・ネットワーキング・システム等）に対して情報の送信要求を送信させ、受付部２２０に、ユーザの指定した外部のサイトからユーザの指定した情報を受け付けさせる。つまり、処理部２６０は、ユーザ端末１０Ａの入力部２０Ａからの操作に応じて、受付部２２０に、ユーザの指定した外部のサイトからユーザの指定した情報を受け付けさせる。なお、処理部２６０は、ユーザ端末１０Ａの入力部２０Ａからの操作のたびに、受付部２２０にユーザの指定した外部のサイトからユーザの指定した情報を受け付けさせてもよい。また、処理部２６０は、ユーザ端末１０Ａの入力部２０Ａから１回操作が行われると、自動で、受付部２２０にユーザの指定した外部のサイトからユーザの指定した情報を受け付けさせてもよい。例えば、処理部２６０は、受付部２２０に、外部のニュースサイトから、ユーザの指定する業界のニュースを受け付けさせる。
【０１３４】
蓄積制御部２６６は、受付部２２０が情報を受け付けると、その情報に、ラベルと関連付けられたキーワードがどれだけ入っているかで、その情報がどのラベルに関連するものであるかを判断する。そして、蓄積制御部２６６は、ある情報が、あるラベルに関連するものであると判定すれば、判定されたラベルと関連付けてその情報をデータベース３００に蓄積する。
【０１３５】
蓄積制御部２６６は、下位の観点を示すラベルと関連付けてデータベース３００に蓄積された情報は、上位ラベルとも関連付けてデータベース３００に記憶させる。例えば、蓄積制御部２６６は、「顧客」のラベルと関連付けてデータベース３００に情報を蓄積させる場合、その上位ラベルである「３Ｃ」のラベルとも関連付けてデータベース３００に情報を蓄積させる。
【０１３６】
なお、蓄積制御部２６６は、１つの情報を観点の異なる（上位の観点と下位の観点との関係にない）複数のラベルと関連付けてデータベース３００に記憶させてもよい。
【０１３７】
（２−２−４−４）集計部
集計部２６８は、利用ラベル記憶領域２５４に記憶されているラベルのそれぞれについて、データベース３００に記憶されている、そのラベルと関連付けられている情報の件数を集計する。集計部２６８は、集計の結果を、ラベル別に情報件数記憶領域２５６に記憶させる。
【０１３８】
（２−２−４−５）判定部
判定部２７０は、利用ラベル記憶領域２５４に記憶されている各ラベルについて、そのラベルと関連付けられているデータベース３００に蓄積されている情報の件数に応じて、情報不足を判定する。
【０１３９】
あるラベルについて、利用ラベル記憶領域２５４に、そのラベルの絶対値の閾値が記憶されている場合には、判定部２７０は、以下の様にして、そのラベルについて情報不足を判定する。
【０１４０】
判定部２７０は、データベース３００に蓄積されている情報不足の判定対象のラベルと関連付けられている情報の件数と、絶対値の閾値と、を比較した結果に基づき、情報不足の判定対象のラベルについて情報不足を判定する。具体的には、判定部２７０は、情報件数記憶領域２５６に記憶されているあるラベルと関連付けられている情報の件数が、利用ラベル記憶領域２５４に記憶されているそのラベルの絶対値の閾値の値より少ない場合、そのラベルは情報不足であると判定する。
【０１４１】
利用ラベル記憶領域２５４に、あるラベルについて、そのラベルの相対的な閾値が記憶されている場合には、判定部２７０は、以下の様にして、そのラベルについて情報不足を判定する。
【０１４２】
判定部２７０は、データベース３００に蓄積されている所定のラベルと関連付けられた情報の件数に対する、データベース３００に蓄積されている情報不足の判定対象の１のラベルと関連付けられた情報の件数の比と、相対的な閾値と、を比較した結果に基づき、情報不足の判定対象のラベルについて情報不足を判定する。
【０１４３】
例えば、判定部２７０は、データベース３００に蓄積されているある上位ラベルと関連付けられた情報の件数に対する、その上位ラベルの下位の観点のラベルである情報不足の判定対象の１のラベルと関連付けられてデータベース３００に蓄積されている情報の件数の比と、相対的な閾値と、を比較した結果に基づき、情報不足の判定対象のラベルについて情報不足を判定する。
【０１４４】
例えば、図２及び図４Ａに記載された内容を例に判定部２７０の判定処理を説明する。図２によれば「顧客」というラベルと関連付けられてデータベース３００に蓄積された情報の件数は５件であり、「顧客」の上位ラベル「３Ｃ」と関連付けられてデータベース３００に蓄積された情報の件数は３５件である。したがって、データベース３００に蓄積されている「３Ｃ」というラベルと関連付けられた情報の件数に対する、その「３Ｃ」というラベルの下位の観点のラベルである情報不足の判定対象の「顧客」のラベルと関連付けられてデータベース３００に蓄積されている情報の件数の比は、０．１４（１４％）である。判定部２７０は、この値（１４％）が「顧客」のラベルの相対的な閾値４０％より小さいため、「顧客」のラベルは情報不足であると判定する。
【０１４５】
なお、判定部２７０は、利用ラベル記憶領域２５４に、あるラベルについて、絶対値の閾値と相対的な閾値との両方が記憶されている場合には、上記の絶対値の閾値に関する判定と、相対的な閾値に対する判定と、を両方行い、いずれか一方でも情報不足と判定した場合に、そのラベルについて情報不足と判定する。
【０１４６】
（２−２−５）データベース
データベース３００は、例えばハードディスクに記憶され、処理部２６０により管理されている。
【０１４７】
データベース３００には、情報蓄積部の一例である。データベース３００には、蓄積制御部２６６によって、受付部２２０が受け付けた情報が、利用ラベル記憶領域２５４に記憶されたラベルの少なくとも１つと関連付けられて蓄積させられる。
【０１４８】
（３）情報不足報知処理
情報提供システム１００において実行される情報不足報知処理の流れについて、図５のフローチャートを用いて説明する。
【０１４９】
まず、ステップＳ１では、受付部２２０は、ユーザが入力部２０Ａから入力される第１ラベルの入力、又は、ユーザの入力部２０Ａによる第２ラベルの選択を受け付ける。そして登録部２６２は、受付部２２０が受け付けた第１ラベル及び第２ラベルの登録を受け付け、利用ラベル記憶領域２５４に記憶する。
【０１５０】
なお、登録部２６２は、第１ラベルの登録を受け付ける場合には、その第１ラベルと、受付部２２０が受け付けたその第１ラベルの閾値とを関連付けて利用ラベル記憶領域２５４に記憶する。ただし、登録部２６２は、上位の第１ラベルの登録を受け付ける場合には、その第１ラベルと、算出部２６４により算出されたその第１ラベルの閾値とを関連付けて利用ラベル記憶領域２５４に記憶する。また、登録部２６２は、第２ラベルの登録を受け付ける場合には、その第２ラベルと、汎用ラベル記憶領域２５２に記憶されたその第２ラベルの閾値とを関連付けて利用ラベル記憶領域２５４に記憶する。
【０１５１】
次にステップＳ２では、受付部２２０が、有用情報提供処理の一環として、例えば外部のニュースサイト等から情報を取得する。
【０１５２】
次にステップＳ３では、蓄積制御部２６６が、受付部２２０が受け付けた情報を、利用ラベル記憶領域２５４に記憶されているラベルの少なくとも１つと関連付けてデータベース３００に蓄積させる。
【０１５３】
次にステップＳ４では、集計部２６８が、ラベル別に、そのラベルと関連付けられてデータベース３００に蓄積されている情報の件数を集計し、集計結果を情報件数記憶領域２５６に記憶させる。
【０１５４】
次にステップＳ５では、判定部２７０が、利用ラベル記憶領域２５４に記憶されている各ラベルについて、そのラベルと関連付けられてデータベース３００に蓄積されている情報の件数に応じて、情報不足を判定する。具体的な判定方法については、前述のとおりである。
【０１５５】
次にステップＳ６では、判定部２７０により、少なくとも１のラベルについて情報不足と判定されたか否かが判定される。
【０１５６】
そして、情報不足と判定されているラベルが有ると判定された場合には、ステップＳ７において、出力部２１０が、図２及び図３のような情報提示画面（情報不足と判定されたラベルを特定する表示を含む画面）が表示部３０Ａに表示されるよう、表示部３０Ａの表示を制御する。
【０１５７】
そして、情報不足と判定されているラベルは無いと判定された場合には、ステップＳ８において、図２及び図３と同様の情報提示画面であって、情報不足と判定されたラベルを特定する表示を含まない画面（図示せず）を表示部３０Ａに表示させる。
【０１５８】
ステップＳ７及びステップＳ８が終了すると、処理フローはステップＳ２に戻る。そして、新たな情報がデータベース３００に蓄積されると、再び情報不足の判定、及び、情報不足のラベルを特定する表示部３０Ａへの表示が行われる。
【０１５９】
なお、ステップＳ７では、例えば図２や図３の情報提示画面のように、情報不足のラベルを特定する表示と、情報不足のラベルと関連付けられてデータベース３００に蓄積されている情報（画像Ｊ）とが、表示部３０Ａに同時に表示される。そのため、ユーザは、情報不足と判定されているラベルに関連付けられた情報の内容（情報の質）を容易に確認できる。そして、ユーザは、たとえ判定部２７０が情報不足と判定していても（情報の件数は十分でないと判定されていても）、それ以上情報が不要である場合には、そのラベルについて、これ以上の情報収集不要と結論付けることができる。
【０１６０】
また、ユーザは、必要に応じて、図３の情報提示画面に表示されるような変更指示受付部Ｂに閾値の変更操作を行うことで、情報不足と判定されるラベルについて、そのラベルの閾値を変更できる。
【０１６１】
特に、第１ラベルの閾値は、ユーザが自由設定可能な値であるため、実際にデータベース３００に蓄積される情報の質等を見ながら、閾値を自由に増減可能に構成されることが好ましい。
【０１６２】
第２ラベルの閾値も、変更指示受付部Ｂに対して閾値の変更操作を行うことで、その値を変更可能に構成されていてもよい。ただし、第２ラベルの閾値は、通常、ノウハウ等を踏まえて適切に予め初期設定されている値である場合も多いので、変更できない値であってもよい。
【０１６３】
（４）特徴
（４−１）
上記実施形態に係る情報提供システム１００は、情報を収集して有用情報を提供する。情報提供システム１００は、登録部２６２と、情報受付部の一例としての受付部２２０と、蓄積制御部２６６と、判定部２７０と、出力部２１０と、を備える。登録部２６２は、複数のラベルの登録を受け付ける。複数のラベルのそれぞれは、情報を収集したい観点を示し、かつ、互いに異なる観点を示している。受付部２２０は、情報を受け付ける。蓄積制御部２６６は、受付部２２０が受け付けた情報を、ラベルの少なくとも１つと関連付けてデータベース３００に蓄積させる。データベース３００は、情報蓄積部の一例である。判定部２７０は、各ラベルについて、そのラベルと関連付けられてデータベース３００に蓄積されている情報の件数に応じて、情報不足を判定する。出力部２１０は、判定部２７０により情報不足と判定されたラベルを特定する表示を、ユーザ端末１０Ａの表示部３０Ａに表示させる。
【０１６４】
上記実施形態に係る情報提供システム１００では、データベース３００に、情報を収集したい観点を示すラベルと関連付けて情報が記憶させられる。そのため、本情報提供システム１００では、システムのユーザが情報を効率よく利用しやすいというメリットがある。
【０１６５】
さらに、この情報提供システム１００では、ラベルと関連付けられた情報の件数に応じて、そのラベルについての情報不足が判定され、情報不足の場合、情報不足のラベルを特定する表示が表示部３０Ａに表示させられる。そのため、あるラベル（観点）に関する情報量が不十分であるにも関わらず、情報提供システム１００から提供される情報に基づき情報解析が行われてしまい、適切ではない解析結果しか得られないという事態の発生を抑制できる。また、情報提供システム１００のユーザは、どの観点の情報が不足しているかを容易に把握できるので、既に十分な量の情報が収集されている観点の情報の収集に無駄に時間や金銭を費やす必要がなく、真に必要な情報を重点的に収集することができる。
【０１６６】
（４−２）
上記実施形態に係る情報提供システム１００では、出力部２１０は、判定部２７０により情報不足と判定されたラベルを特定するため、判定部２７０により情報不足と判定されたラベルを、表示部３０Ａに強調表示させる。
【０１６７】
上記実施形態に係る情報提供システム１００では、情報不足と判定されたラベルが表示部３０Ａに強調表示させられるので、システムのユーザはどのラベルの情報が不足しているかを容易に把握することができる。
【０１６８】
情報不足と判定されたラベルの強調表示には、例えば、情報不足と判定されたラベルの文字を、他のラベルの文字に比べて太字で表示する、他のラベルの文字とは書体を変えて表示する、他のラベルの文字とは色を変えて表示する、等の態様を含んでもよい。
【０１６９】
また、情報不足と判定されたラベルの強調表示には、例えば、情報不足と判定されたラベルを他のラベルに比べて大きく表示する態様を含んでもよい。例えば、表示部３０Ａに表示させられる図３の情報提示画面では、情報不足と判定されたラベルＬ２が、他のラベルに比べて大きく表示される。
【０１７０】
また、情報不足と判定されたラベルの強調表示には、例えば、表示部３０Ａに表示させられる図２の情報提示画面のように、情報不足と判定されたラベルＬ１が表示されるエリアを、他のラベルが表示されるエリアとは違う色で着色する態様を含んでもよい。
【０１７１】
また、ラベルの強調表示には、例えば、情報不足と判定されたラベルの位置を他のラベルに比べて目立つ位置に配置する態様を含んでもよい。例えば、図３では、情報不足と判定されたラベルＬ２が、リストの先頭（左端）に配置される。
【０１７２】
ただし、ここで挙げたラベルの強調表示の態様は一例であって、ここに記載したものに限定されるものではない。
【０１７３】
（４−３）
上記実施形態に係る情報提供システム１００では、判定部２７０は、データベース３００に蓄積されている、情報不足の判定対象の１のラベルと関連付けられている情報の件数と、閾値（絶対値の閾値）と、を比較した結果に基づき、情報不足の判定対象のラベルについて情報不足を判定する。
【０１７４】
上記実施形態に係る情報提供システム１００では、情報不足の判定対象のラベルと関連付けられている情報の件数と、閾値との比較により情報不足が判定されるため、各ラベルと関連付けられた情報の件数の絶対数が不足することを防止できる。
【０１７５】
（４−４）
上記実施形態に係る情報提供システム１００では、判定部２７０は、データベース３００に蓄積されている、所定のラベルと関連付けられている情報の件数に対する、データベース３００に蓄積されている、情報不足の判定対象の１のラベルと関連付けられている情報の件数の比と、閾値（相対的な閾値）と、を比較した結果に基づき、情報不足の判定対象のラベルについて情報不足を判定する。
【０１７６】
上記実施形態に係る情報提供システム１００では、所定のラベルと関連付けられた情報の件数に対する、情報不足の判定対象のラベルと関連付けられた情報の件数の比と、閾値との比較により情報不足が判定される。そのため、情報不足の判定対象のラベルの情報の件数が、他のラベルの情報の件数に比べて過度に少なくなることを防止できる。また、このように構成されることで、一部の観点（ラベル）に関する情報が過剰に収集されるという事態も防止でき、効率よく情報を収集することができる。
【０１７７】
（４−５）
上記実施形態に係る情報提供システム１００では、閾値は、ラベル別に設定される。
【０１７８】
上記実施形態に係る情報提供システム１００では、ラベル別に閾値が設定されるため、各ラベル（観点）について適切な件数の情報を収集できる。
【０１７９】
（４−６）
上記実施形態に係る情報提供システム１００では、出力部２１０は、表示部３０Ａに、閾値を変更するための変更指示受付部Ｂを表示させる。情報提供システム１００は、操作受付部の一例として受付部２２０を備える。受付部２２０は、変更指示受付部Ｂに対する閾値の変更操作を受け付ける。
【０１８０】
上記実施形態に係る情報提供システム１００では、ラベルの情報不足を判定する閾値を適切な値に設定することができる。
【０１８１】
（４−７）
上記実施形態に係る情報提供システム１００は、入力受付部の一例としての受付部２２０を備える。受付部２２０は、ユーザによる第１ラベルの入力を受け付ける。登録部２６２が登録を受け付ける各ラベルは、第１ラベル、又は、第２ラベルのいずれかである。第２ラベルは、予め準備された汎用ラベルから選択される。第１ラベルの閾値は、自由に設定可能である。第２ラベルの閾値は、初期設定されている。
【０１８２】
上記実施形態に係る情報提供システム１００では、汎用ラベルから選択される第２ラベルについては閾値が初期設定されているため、第２ラベルと関連付けられた情報の必要量をユーザがわざわざ検討する必要がない。そのため、ユーザが利用しやすい情報提供システム１００を実現できる。一方で、ユーザが自由に入力するラベルについては、閾値を自由に設定できるため、ユーザの目的等に合わせて情報提供システム１００を利用することができる。
【０１８３】
（４−８）
上記実施形態に係る情報提供システム１００では、登録部２６２は、複数のラベルに対し、これらのラベルよりも上位の観点を示すラベルを上位ラベルとして登録する。蓄積制御部２６６は、上位ラベルの下位の観点を示すラベルと関連付けてデータベース３００に蓄積される情報を、上位ラベルとも関連付ける。情報提供システム１００は、上位ラベルの閾値を、上位ラベルの下位の観点を示すラベルの閾値に基づいて算出する算出部２６４を備える。
【０１８４】
上記実施形態に係る情報提供システム１００では、下位の観点を示すラベルに対し、これらのラベルよりも上位の観点（上位ラベル）で情報を収集することが望まれる場合に、上位ラベル用の閾値が自動で算出される。そのため、上位の観点での情報が十分に収集されているかを判定することが容易である。
【０１８５】
（４−９）
上記実施形態に係る情報提供システム１００では、出力部２１０は、判定部２７０により情報不足と判定されたラベルを特定する表示と、データベース３００に蓄積されている、判定部２７０により情報不足と判定されたラベルと関連付けられた情報の少なくとも一部と、を表示部３０Ａに同時に表示させる。
【０１８６】
上記実施形態に係る情報提供システム１００では、ユーザ端末１０Ａの表示部３０Ａに、情報不足と判定されたラベルを特定する表示と同時に、情報不足と判定されたラベルと関連付けられた情報が表示部３０Ａに表示させられる。そのため、システムのユーザは、情報不足と判定されたラベルに関しどのような情報が蓄積されているのかをすぐに確認し、情報の質から見て情報が必要であるかを直ちに判断することができる。
【０１８７】
なお、ここで、表示部３０Ａにラベルと関連付けられた情報が表示されるとは、各情報の内容が表示部３０Ａにそのまま表示される場合の他、各情報の抜粋（画像Ｊ）が表示部３０Ａに表示される場合（図２及び図３参照）や、各情報へのリンクが表示部３０Ａに表示される場合を含む。
【０１８８】
（５）変形例
以下に上記実施形態の変形例を示す。変形例は、互いに矛盾しないかぎり適宜組み合わされてもよい。
【０１８９】
（５−１）変形例Ａ
上記実施形態では、情報提供システム１００は、登録された各ラベルについて情報不足の判定を行うが、これに限定されるものではない。例えば、情報提供システム１００は、ラベルの組合せに関して情報不足の判定を行ってもよい。
【０１９０】
例えば、登録部２６２により登録されたラベルが、ある上位ラベル「Ｅ」の下位のラベル「ｅ１」、「ｅ２」及び「ｅ３」と、ある上位ラベル「Ｆ」の下位のラベル「ｆ１」及び「ｆ２」であると仮定する（上位ラベル「Ｅ」と、上位ラベル「Ｆ」とは、互いに異なる観点とする）。この場合に「ｅ１」かつ「ｆ１」、「ｅ２」かつ「ｆ１」、・・・というようなラベルの組合せのそれぞれについて（ラベルの組合せを新たなラベルとして登録して）、情報不足が判定されてもよい。
【０１９１】
（５−２）変形例Ｂ
上記実施形態では、サーバ２００は、データベース３００を管理するデータベースサーバとしても機能する。ただし、これに限定されるものではない。
【０１９２】
例えば、情報提供システム１００は、サーバ２００とは別に、データベース３００を管理するデータベースサーバを有していてもよい。
【０１９３】
また、データベース３００は、情報提供システム１００を構成するサーバ２００とネットワーク５０により接続された、情報提供システム１００の外部のデータベースサーバにより管理されるものであってもよい。
【０１９４】
（５−３）変形例Ｃ
上記実施形態では、情報提供システム１００のユーザは、ユーザ端末１０Ａから情報提供システム１００を利用するが、これに限定されるものではない。
【０１９５】
例えば、ユーザは、ユーザ端末１０Ａの入力部２０Ａ及び表示部３０Ａを利用して情報提供システム１００を利用する代わりに、サーバ２００の入力部２３０及び表示部２４０を利用して情報提供システム１００を利用してもよい。この場合、情報提供システム１００を構成するサーバ２００は、ネットワーク５０を介してユーザ端末１０Ａと通信可能に構成されていなくてもよい。言い換えれば、情報提供システム１００は、ＣＰＵがハードディスクに記憶されているソフトウェアをメモリに読みだして実行することで、上記実施形態に記載したような処理を実行する、外部のニュースサイト等とインターネットを介して通信可能なコンピュータにより構成されてもよい。
【０１９６】
（５−４）変形例Ｄ
上記実施形態では、情報提供システム１００は、外部のニュースサイト等から情報を受け付けるが、これに限定されるものではない。例えば、情報提供システム１００は、外部のニュースサイト等から情報を受け付ける代わりに、あるいは、外部のニュースサイト等から情報を受け付けるのに加えて、ユーザが入力部２０Ａから入力する情報や、ユーザ端末１０Ａから送信されてくる情報を受け付け、ラベルと関連付けてデータベース３００に記憶してもよい。
【０１９７】
（５−５）変形例Ｅ
上記実施形態では、情報提供システム１００は、判定部２７０により情報不足と判定された１のラベルを特定する表示を表示部３０Ａに表示させるが、これに限定されるものではない。情報提供システム１００は、判定部２７０により情報不足と判定された複数のラベルを特定する表示を表示部３０Ａに表示させてもよい。
【０１９８】
（５−６）変形例Ｆ
上記実施形態では、判定部２７０は、データベース３００に蓄積されているある上位ラベルと関連付けられた情報の件数に対する、その上位ラベルの下位の観点のラベルである情報不足の判定対象の１のラベルと関連付けられてデータベース３００に蓄積されている情報の件数の比と、相対的な閾値と、を比較した結果に基づき、情報不足の判定対象のラベルについて情報不足を判定している。ただし、これに限定されるものではない。
【０１９９】
例えば、判定部２７０は、データベース３００に蓄積されている情報の全件数に対する、情報不足の判定対象の１のラベルと関連付けられてデータベース３００に蓄積されている情報の件数の比と、相対的な閾値と、を比較した結果に基づき、情報不足の判定対象のラベルについて情報不足を判定してもよい。なお、ここでの相対的な閾値には、判定部２７０がこのような判定を行うことを前提として決定された相対的な閾値が使用される。
【産業上の利用可能性】
【０２００】
本情報提供システムは、ユーザに情報を効率よくかつ不足なく提供可能な情報提供システムとして有用である。
【符号の説明】
【０２０１】
３０Ａ  表示部
１００  情報提供システム
２１０  出力部
２２０  受付部（情報受付部、操作受付部、入力受付部）
２３０  入力部（情報受付部、操作受付部、入力受付部）
２４０  表示部
２６２  登録部
２６４  算出部
２６６  蓄積制御部
２７０  判定部
３００  データベース（情報蓄積部）
Ｂ  変更指示受付部
Ｌ１，Ｌ２  情報不足と判定されたラベル
【先行技術文献】
【特許文献】
【０２０２】
【特許文献１】特開２００１−１４７９４０号公報報
【図１】
2017194841.tif 000003
【図２】
2017194841.tif 000004
【図３】
2017194841.tif 000005
【図４Ａ】
2017194841.tif 000006
【図４Ｂ】
2017194841.tif 000007
【図５】
2017194841.tif 000008